(57)【要約】本発明は、頭皮及び毛髪用光学治療機器に関する。より詳しくは、広い使用空間が不要であり、付帯的な専門医療機器を使用する必要がないで、一般家庭でも使用可能であり、構造をコンパクト化して携帯が可能であり、微細針治療を用いて、小針らが物理的損傷を起こして繊維芽細胞を刺激して、コラーゲンリモデリングを誘導し、分子量が大きい薬物や極性化が困難である薬物が、皮膚に効果的に侵透することができる通路を提供して、皮膚を再生させる効果があり、機器の上部にＬＥＤを装着して，頭皮と毛髪に紫外線及び可視光線を照射し、細胞の新陳代謝を活性化させて、損傷した細胞の治癒及び成長を促進するだけでなく、機器の上部及び側部にイオントフォレシスを装着し、皮膚に電位差を与えて、皮膚の電気的環境を変化することにより、イオン性薬物の皮膚透過率を増加させ、機器内部を介してアンプルを挿入した後、上部に突出して、ボールベアリングタイプのアンプルを皮膚に擦り込む形態で表面吸着を用いて、薬物を放出すると共に、頭皮をマッサージするようにして、頭皮の細胞組織を活性化し、毛髪の発毛促進、脱毛防止など、良好な頭皮と毛髪を維持できるようにする頭皮及び毛髪用光学治療機器に関する。このために、本発明は、ボディと、前記ボディの一側に着脱可能に設けられるＭＴＳカートリッジと、前記ボディと前記ＭＴＳカートリッジとの間に設けられるＬＥＤランプとを含むことを特徴とする頭皮及び毛髪用光学治療機器を提供する。【代表図】図１а
2014502896.tif 000002
【特許請求の範囲】
【請求項１】
ボディと、
前記ボディの一側に着脱可能に設けられるＭＴＳカートリッジと、
前記ボディと前記ＭＴＳカートリッジとの間に設けられるＬＥＤランプとを含むことを特徴とする頭皮及び毛髪用光学治療機器。
【請求項２】
前記ボディは、上部ボディと下部ボディとを備え、前記上部ボディと前記下部ボディとの間には、イオントフォレシスを活性化させるための電位差を提供する一対の電極が設けられることを特徴とする請求項１に記載の頭皮及び毛髪用光学治療機器。
【請求項３】
更に、前記ＬＥＤランプが装着されるイオンヘッドを含むことを特徴とする請求項１に記載の頭皮及び毛髪用光学治療機器。
【請求項４】
前記ボディの内部には、アンプルを装着するためのアンプルホルダが設けられることを特徴とする請求項１に記載の頭皮及び毛髪用光学治療機器。
【請求項５】
前記イオンヘッドの中央には、アンプルボールベアリングが設けられることを特徴とする請求項３に記載の頭皮及び毛髪用光学治療機器。
【発明の詳細な説明】
【技術分野】
【０００１】
本発明は、頭皮及び毛髪用光学治療機器に関する。より詳しくは、広い使用空間が不要であり、付帯的な専門医療機器を使用する必要がないで、一般家庭でも使用可能であり、構造をコンパクト化して携帯が可能であり、微細針治療を用いて、小針らが物理的損傷を起こして繊維芽細胞を刺激して、コラーゲンリモデリングを誘導し、分子量が大きい薬物や極性化が困難である薬物が、皮膚に効果的に侵透することができる通路を提供して、皮膚を再生させる効果があり、機器の上部にＬＥＤを装着して，頭皮と毛髪に紫外線及び可視光線を照射し、細胞の新陳代謝を活性化させて、損傷した細胞の治癒及び成長を促進するだけでなく、機器の上部及び側部にイオントフォレシス(iontophoresis)を装着し、皮膚に電位差を与えて、皮膚の電気的環境を変化することにより、イオン性薬物の皮膚透過率を増加させ、機器内部を介してアンプルを挿入した後、上部に突出して、ボールベアリングタイプのアンプルを皮膚に擦り込む形態で表面吸着を用いて、薬物を放出すると共に、頭皮をマッサージするようにして、頭皮の細胞組織を活性化し、毛髪の発毛促進、脱毛防止など、良好な頭皮と毛髪を維持できるようにする頭皮及び毛髪用光学治療機器に関する。
【背景技術】
【０００２】
現代は、イメージの時代と言う。現代人は、社会生活で多くの人々に会って交流しており、合コンで初印象が占める比重は、敢えて強調する必要がない程度である。このような状況で、現代人は、社会活動において本人のイメージを向上し、様々な表現欲求を満たすために、頭皮と毛髪管理に多い時間と費用を割いている。しかし、現代人は、遺伝的条件のような先天的な要因や、ストレス及び疾病のような後天的要因によって、頭皮と毛髪損傷に苦しんでいる実情である。
【０００３】
損傷した頭皮と毛髪の治療に、光を利用しようとする試みが行われている。光を治療目的に利用するための光源としては、レーザがよく使用されている。現在、皮膚科で使用しているレーザの種類は、炭酸ガスレーザ(CO2 Laser)、色素レーザ(Flash lamp-pumped pulsed dye laser)、アルゴン、銅蒸着(Copper vapor)、クリプトン、ダイオードなどがある。
【０００４】
これらのレーザは、主に、母斑の除去や、いぼと魚の目の除去、表皮母斑、そして、メラニンを帯びるソバカス、黒子、シミなどと、オタ母斑(Otta’s  Nevus)、ベッケ母斑(Becke’s  Nevus) 、入れ墨の除去などに使用されている。治療目的のレーザは、大きく、511、514、532、1064ナノメートルの波長に区分され、血管性皮膚病変の治療に使用される。
【発明の概要】
【発明が解決しようとする課題】
【０００５】
しかし、レーザ治療は、光熱分解特性を用いるため、治療ターゲット細胞の周辺細胞に、熱損傷をもたらすという不都合がある。また、レーザは、治療後、色素沈着や潜在性ヘルペス感染を誘発して、肥厚性瘢痕をもたらすことがあり、細菌感染も起こすことができる。また、レーザは、価格が高く、発熱などの問題が発生する。
【０００６】
現在まで、頭皮及び毛髪治療器として提案されていることを見ると、殆ど、レーザダイオード(ＬＤ)とランプを利用している。しかし、レーザダイオードは、細胞内の水分による熱エネルギを吸収して、周辺細胞の熱損傷をもたらし、色素沈着や潜在性ヘルペス感染を誘発するなど、一般のレーザ治療が持つ副作用を全て有している。また、体積が大きいため、携帯が不可能であり、頭に固定するか、頭に被せて使用することが大部分であるため、日常生活で携帯して周期的に活用するには困難であることが多い。また、このような頭皮及び毛髪治療器は、外部毛髪の損傷を防止するか、損傷した外部毛髪の治療効果があるだけで、毛根周辺の内部毛髪には、直接してレーザとランプが照射されないため、頭皮及び内側毛髪の損傷を防止するか、損傷した内部毛髪の治療に対しては、効果がないという問題点がある。
【０００７】
本発明は、前記のような問題点を解決するためになされたものであって、特に、広い使用空間が不要であり、一般家庭でも使用可能であり、携帯が可能であり、分子量の大きい薬物や極性化が困難である薬物が、皮膚に効果的に侵透することができる通路を提供して、皮膚を再生させることができ、細胞の新陳代謝を活性化して、損傷した細胞の治癒及び成長を促進するだけでなく、イオン性薬物の皮膚透過率を増加させ、頭皮の細胞組織を活性化し、毛髪の発毛促進、脱毛防止など、良好な頭皮と毛髪を維持することができるようにする頭皮及び毛髪用光学治療機器を提供することにその目的がある。
【課題を解決するための手段】
【０００８】
前記目的を達成するために案出された本発明による頭皮及び毛髪用光学治療機器は、ボディと、前記ボディの一側に着脱可能に設けられるＭＴＳカートリッジと、前記ボディと前記ＭＴＳカートリッジとの間に設けられるＬＥＤランプとを含むことを特徴とする。
【０００９】
また、前記ボディは、上部ボディと下部ボディとを備え、前記上部ボディと前記下部ボディとの間には、イオントフォレシスを活性化させるための電位差を提供する一対の電極が設けられる。
【００１０】
また、前記頭皮及び毛髪用光学治療機器は、前記ＬＥＤランプが装着されるイオンヘッドを、更に含むことができる。
【００１１】
また、前記ボディの内部には、アンプルを装着するためのアンプルホルダが設けられる。
【００１２】
また、前記イオンヘッドの中央には、アンプルボールベアリングが設けられる。
【発明の効果】
【００１３】
本発明によると、広い使用空間が不要であり、付帯的な専門医療機器を使用する必要がないので、一般家庭でも使用可能であり、構造をコンパクト化して、携帯が可能であるという効果がある。
【００１４】
また、本発明によると、微細針治療を用いて、小針らが物理的損傷を起こして繊維芽細胞を刺激して、コラーゲンリモデリングを誘導し、分子量が大きい薬物や極性化が困難である薬物が、皮膚に効果的に侵透することができる通路を提供して、皮膚を再生させる効果がある。
【００１５】
また、本発明によると、機器の上部にＬＥＤを装着して，頭皮と毛髪に紫外線及び可視光線を照射し、細胞の新陳代謝を活性化させて、損傷した細胞の治癒及び成長を促進する効果がある。
【００１６】
また、本発明によると、機器の上部及び側部にイオントフォレシスを装着し、皮膚に電位差を与えて、皮膚の電気的環境を変化することにより、イオン性薬物の皮膚透過率を増加させ、機器内部を介してアンプルを挿入した後、上部に突出して、ボールベアリングタイプのアンプルを皮膚に擦り込む形態で表面吸着を用いて、薬物を放出すると共に、頭皮をマッサージするようにして、頭皮の細胞組織を活性化し、毛髪の発毛促進、脱毛防止など、良好な頭皮と毛髪を維持できるようにする効果がある。
【図面の簡単な説明】
【００１７】
【図１】図１а〜図１ｃは、本発明の第１実施例による頭皮及び毛髪用光学治療機器の斜視図である。
【図２】図２а及び図２ｂは、本発明の第２実施例による頭皮及び毛髪用光学治療機器の斜視図である。
【図３】図３а〜図３ｃは、本発明の第３実施例による頭皮及び毛髪用光学治療機器の斜視図である。
【図４】図４а〜図４ｃは、本発明の第４実施例による頭皮及び毛髪用光学治療機器の斜視図である。
【図５】図５а〜図５ｃは、本発明の第５実施例による頭皮及び毛髪用光学治療機器の斜視図である。
【図６】図６は、ＬＥＤとＬＤの光出力方式及び電流量と光出力の相関関係を示すグラフである。
【図７】図７は、高機能性アンプル製造過程の概念図である。
【図８】図８は、高機能性アンプルの経皮吸収促進過程を説明するための概念図である。
【発明を実施するための形態】
【００１８】
本発明による頭皮及び毛髪用光学治療機器は、ボディと、前記ボディの一側に着脱可能に設けられるＭＴＳカートリッジと、前記ボディと前記ＭＴＳカートリッジとの間に設けられるＬＥＤランプとを含むことを特徴とする。
【００１９】
以下、本発明の好適な実施例を、添付した図面を参照して詳しく説明する。まず、各図面の構成要素に参照符号を付することにおいて、同一の構成要素に対しては、たとえ、他の図面上に示されていても、できるだけ、同一の符号を付するようにしていることに留意しなければならない。また、本発明を説明することに当たり、関連する公知構成又は機能に関する具体的な説明が、本発明の要旨を濁ごしていると判断される場合は、その詳細な説明は省略する。また、以下において、本発明の好適な実施例を説明するが、本発明の技術的思想は、ここに限定・制限されることではなく、当業者によって変形して様々に実施可能であることは勿論である。
【００２０】
図１а〜図１ｃは、本発明の第１実施例による頭皮及び毛髪用光学治療機器の斜視図である。図１аは、ＭＴＳカートリッジが取り付けられた状態の頭皮及び毛髪用光学治療機器の斜視図であり、図１ｂは、ＭＴＳカートリッジを取り外した状態の頭皮及び毛髪用光学治療機器の斜視図であり、図１ｃは、ボディカバーの斜視図である。
【００２１】
本発明の第１実施例による頭皮及び毛髪用光学治療機器は、図１а〜図１ｃを参照すると、上部ボディ１０と、ボタンロック１２と、パワーボタン１４と、アンプルホルダ１６と、アンプルカバー１８と、バッテリカバー２０と、下部ボディ２２と、左側電極２４と、右側電極２６と、イオンヘッド２８と、ボディトップ３０と、ＬＥＤランプ３２と、アンプルボールベアリング３４と、ＭＴＳカートリッジ３６と、ボディカバー３８とを含む。
【００２２】
上部ボディ１０は、握りやすいように、流線形の長尺状に形成される。上部ボディ１０には、アンプル(図示せず)の挿入又は交替のためのアンプルホルダ１６と、アンプルを挿入した後、アンプルホルダ１６を閉鎖するか、アンプルの交替時に、アンプルホルダ１６を開放するためのアンプルカバー１８と、アンプルカバー１８を開閉するためのボタンロック１２と、ＬＥＤランプ３２と、イオントフォレシスを活性化させるための電極２４、２６に電位差を加えるためのパワーボタン１４とが設けられる。
【００２３】
ボタンロック１２は、上部ボディ１０に設けられ、アンプルカバー１８を作動させる。例えば、ボタンロック１２を押下すると、アンプルカバー１８が開放し、ボタンロック１２を押下した状態で、アンプルカバー１８を閉じた後、ボタンロック１２から離すと、アンプルカバー１８が閉じる方式で作動されることができる。
【００２４】
パワーボタン１４は、上部ボディ１０に設けられ、左側電極２４と右側電極２６に電圧を印加し、ボディトップ３０に内蔵したＬＥＤに電源を印加して、ＬＥＤランプ３２を点灯する役目を行う。
【００２５】
アンプルホルダ１６は、上部ボディ１０に設けられ、頭皮に薬物(例えば、イオントフォレシスのためのイオン性薬物)を提供するアンプルが挿入するように、一定の空間を確保している。アンプルホルダ１６にアンプルを挿入すると、アンプルのボールベアリング３４がボディトップ３０の上部に露出されることにより、ボールベアリング３４を頭皮又は毛髪に接触して擦り込むと、アンプル内部の薬物が、頭皮と毛髪に提供される。
【００２６】
アンプルカバー１８は、アンプルホルダ１６を開放又は閉鎖するように、上部ボディ１０に設けられる。アンプルカバー１８は、ボタンロック１２によって、開放と閉鎖が行われる。
【００２７】
バッテリカバー２０は、上部ボディ１０の一側端部に設けられ、バッテリ挿入と交替の際に、バッテリ挿入口を開放又は閉鎖する役目を行う。
【００２８】
下部ボディ２２は、上部ボディ１０と対向するように配置され、取っ手の役目を果たすように、流線形の長尺状に形成される。上部ボディ１０と下部ボディ２２は、互いに対応する形状に形成され、上部ボディ１０と下部ボディ２２との間には、左側電極２４と右側電極２６とが装着される。
【００２９】
左側電極２４と右側電極２６は、上部ボディ１０と下部ボディ２２との間に装着され、イオントフォレシスを活性化させるための電位差を提供する。イオントフォレシスは、皮膚に電位差を与えて、皮膚の電気的環境を変化することにより、イオン性薬物の皮膚透過を増加させる方法である。具体的に、イオントフォレシスは、直流電流のイオン泳動により、真皮内のメラニン細胞層にイオン化可能なエッセンスを投入して、皮膚に美白の再生効果を得られるようにする。例えば、イオン化物質のうち、ビタミンＣエッセンスの場合、色素沈着を抑制し、皮膚細胞を活性化し、皮膚のｐＨバランシングによる美白効果と共に、にきび瘢痕に対する皮膚再生などの機能を行う。イオントフォレシスは、このようなイオン化物質を、皮膚深く侵透させる。合わせて、毛髪の成長を促進する有効成分である銅、亜鉛などのミネラルと、アミノ酸、パンテオンなどの様々なビタミンを投与することにより、頭皮環境を改善し、脱毛を予防する。
【００３０】
左側電極２４と右側電極２６は、パワーボタン１４により、電源を供給されて電位差を生成し(例えば、左側電極は、(＋)極、右側電極は、(−)極)、生成された電位差は、イオン化物質をイオン化して、皮膚深く薬物が伝達されるようにする。これにより、古くて損傷したコラーゲンの層組職を再生させて、皮膚老化を防止することになる。
【００３１】
イオンヘッド２８は、頭皮接触と共に、機器側部の接地により、身体の電位差をなくし、イオン性薬物の浸透をスムーズにする。
【００３２】
ボディトップ３０は、上部ボディ１０と下部ボディ２２の他側端部に結合され、上部ボディ１０と下部ボディ２２とを相互結合させる役目を果たす。また、ボディトップ３０には、ＬＥＤランプ３２と、アンプルボールベアリング３４とが備えられる。
【００３３】
ＬＥＤランプ３２は、ボディトップ３０に複数設けられ、頭皮及び毛髪に紫外線及び可視光線を放出することにより、ＬＥＤ光学治療法(LED Photodynamic Therapy)を提供する。略630ナノメートル帯の赤ＬＥＤ光は、細胞の新陳代謝を活性化させて、損傷した細胞の治癒及び成長を促進する特性を示す。また、赤ＬＥＤ光は、一般の医学用レーザよりも長い波長を保有して、細胞組織に対する浸透効果が高く、周辺細胞を損傷することなく、ターゲット細胞の再生活性を誘導する。
【００３４】
図６は、ＬＥＤとＬＤの光出力方式及び電流量と光出力の相関関係を示すグラフであり、表１は、ＬＥＤとＬＤの特性を比較した表である。
【００３５】
【表１】
2014502896.tif 000003
【００３６】
アンプルボールベアリング３４は、ボディトップ３０の中央に突出し、頭皮と毛髪に擦り込む形態の表面吸着を用いて、アンプル内部の薬物を放出する。
【００３７】
ＭＴＳ(Microneedle Therapy System)カートリッジ３６は、ボディトップ３０に着脱可能に結合される。ＭＴＳは、微細針治療システムであって、小針らが皮膚に物理的損傷を起こして、繊維芽細胞を刺激することにより、コラーゲンリモデリングを誘導し、分子量の大きい薬物や極性化が困難である薬物が、皮膚に効果的に侵透することができる通路を提供して、皮膚再生を助ける方法である。
【００３８】
ＭＴＳは、真皮と基底層において、自然的なコラーゲン再生促進プロセスを提供して、表皮に損傷を全く与えることなく、皮膚に小さい傷を無数に作って、これらの傷が自然治癒されながら、様々な成長因子を放出して、新たなコラーゲン生成を誘導することになる。角質層を通過した微細針(microneedle)により、皮膚に新たな有効成分の吸収通路を提供して、美白成分やコラーゲン再生成分を容易に浸透させることにより、治療効果を極大化することができる。このようなプロセスを介して、皮膚に蓄積した有効成分によって、持続的かつ反復的なコラーゲン再生及び細胞再生が行われる。
【００３９】
ボディカバー３８は、ＭＴＳカートリッジ３６に結合されて、携帯及び保管の際、ＭＴＳカートリッジ３６を保護する。
【００４０】
本発明の第１実施例による頭皮及び毛髪用光学治療機器の作動方法を簡単に説明すると、下記の通りである。
【００４１】
まず、ＭＴＳカートリッジ３６をボディトップ３０に取り付けた後、微細針を頭皮に擦り込んで、頭皮に有効成分の吸収通路を提供する。ＭＴＳカートリッジ３６が、既に、ボディトップ３０に結合されている状態であると、ボディカバー３８を外して、ＭＴＳ施術を行えることは、勿論のことである。
【００４２】
ついで、ＭＴＳカートリッジ３６をボディトップ３０から取り外して、ＬＥＤランプ３２とアンプルボールベアリング３４とが外部に露出するようにする。ボタンロック１２を用いて、アンプルカバー１８を開放し、アンプルホルダ１６内にアンプルを挿入した後、アンプルカバー１８を閉じる。パワーボタン１４を押下すると、電極２４、２６に電位差が印加されて、アンプル内部のイオン性薬物がイオン化し、アンプルボールベアリング３４を頭皮に擦り込むと、イオントフォレシスでイオン化された薬物が、頭皮に吸収される。
【００４３】
また、ＬＥＤランプ３２を点灯して、頭皮に光を照射することにより、細胞の新陳代謝を活性化させ、損傷細胞を治癒し、細胞の成長を促進させる。場合によっては、ＬＥＤランプ３２に電源を与えるボタンを別に備えて、ＬＥＤランプによる光照射は、頭皮に薬物を投与する前、又は薬物を投与した後に、ＬＥＤ光学治療法を行うこともできることは、勿論である。
【００４４】
図２а及び図２ｂは、本発明の第２実施例による頭皮及び毛髪用光学治療機器の斜視図である。図２аは、ＭＴＳカートリッジが取り付けられた状態の頭皮及び毛髪用光学治療機器の前面斜視図であり、図２ｂは、ＭＴＳカートリッジを取り外した状態の頭皮及び毛髪用光学治療機器の後面斜視図である。本発明の第２実施例は、アンプルホルダとバッテリ投入口が下部ボディに位置することと、全体的な形状、及びＭＴＳカートリッジ１３６の形状変更の他には、第１実施例と類似しているので、相違点を中心に説明する。
【００４５】
本発明の第２実施例による頭皮及び毛髪用光学治療機器は、図２а及び図２ｂを参照すると、下部ボディ１２２に、アンプルホルダとバッテリ投入口とが設けられる。それで、アンプルカバー１１８とバッテリカバー１２０も、下部ボディ１２２に装着される。アンプルカバー１１８とバッテリカバー１２０とは、スライド方式で作動される。
【００４６】
上部ボディ１１０には、握りやすいように、取っ手用凹溝１１１が備えられる。
【００４７】
図３а〜図３ｃは、本発明の第３実施例による頭皮及び毛髪用光学治療機器の斜視図である。図３аは、ＭＴＳカートリッジが取り付けられた状態の頭皮及び毛髪用光学治療機器の斜視図であり、図３ｂは、ＭＴＳカートリッジを取り外した状態の頭皮及び毛髪用光学治療機器の斜視図であり、図３ｃは、ボディカバーの斜視図である。本発明の第３実施例は、アンプルカバーが透明窓で形成され、バッテリ投入口が下部ボディの端部に位置することと、全体的な形状変更の他には、第１実施例と類似しているので、相違点を中心に説明する。
【００４８】
本発明の第３実施例による頭皮及び毛髪用光学治療機器は、図３а及び図３ｃを参照すると、アンプルカバー２１８が、アクリルのような透明窓で形成されて、アンプルの薬物残量を肉眼で確認できるようにする。また、アンプルカバー２１８は、スライド方式で形成され、アンプルをアンプルホルダ２１６に挿入した後、アンプルカバー２１８をスライドすることにより、アンプルホルダ２１６を閉鎖することができる。
【００４９】
また、バッテリ投入口が、下部ボディ２２２の端部に設けられるため、バッテリカバー２２０も、下部ボディ２２２の端部に位置することになる。イオンヘッド２２８は、長方状の代わりに、円形に形成される。それにより、ボディカバー２３８も、円形を取ることになる。
【００５０】
図４а〜図４ｃは、本発明の第４実施例による頭皮及び毛髪用光学治療機器の斜視図である。図４аは、ＭＴＳカートリッジが取り付けられた状態の頭皮及び毛髪用光学治療機器の斜視図であり、図４ｂは、ＭＴＳカートリッジを取り外した状態の頭皮及び毛髪用光学治療機器の斜視図であり、 図４ｃは、アンプルカバーの作動方式を説明するための斜視図である。本発明の第４実施例は、アンプルカバーが回転することにより、アンプルホルダの開閉が行われることと、全体的な形状変更の他には、第１実施例と類似しているので、相違点を中心に説明する。
【００５１】
本発明の第４実施例による頭皮及び毛髪用光学治療機器は、図４а及び図４ｃを参照すると、アンプルホルダ３１６とアンプルカバー３１８の相互位置関係により、アンプルホルダ３１６の開閉が行われる。図４ｃを参照すると、アンプルカバー３１８は、アンプルホルダ３１６を取り囲んで、アンプルホルダ３１６に対して回転するように形成されている。それで、アンプルを挿入する場合は、図４ｃの左図面のように、アンプルカバー３１８を回転させて、アンプルホルダ３１６が開放するようにし、アンプルを挿入した後には、図４ｃの右図面のように、アンプルカバー３１８を回転させて、アンプルホルダ３１６が閉鎖するようにする。
【００５２】
また、アンプルカバー３１８は、アクリルのような透明材質で形成され、アンプルの残量を肉眼で確認するようにする。
【００５３】
図５а〜図５ｃは、本発明の第５実施例による頭皮及び毛髪用光学治療機器の斜視図である。 図５аは、ＭＴＳカートリッジが取り付けられた状態の頭皮及び毛髪用光学治療機器の斜視図であり、図５ｂは、ＭＴＳカートリッジを取り外した状態の頭皮及び毛髪用光学治療機器の斜視図であり、 図５ｃは、アンプル挿入方式を説明するための斜視図である。本発明の第５実施例は、イオンヘッドを開いてアンプルを挿入することと、バッテリカバーがボディの下端に位置すること、及び全体的な形状変更の以外には、第１実施例と類似しているので、相違点を中心に説明する。
【００５４】
本発明の第５実施例による頭皮及び毛髪用光学治療機器は、図５а及び図５ｃを参照すると、イオンヘッド４２８を開いてアンプル(А)を挿入した後、イオンヘッド４２８を閉じる方式でアンプル(А)の挿入が行われる。第５実施例は、男性用シェーバー方式で形状化しており、バッテリカバー４２０をボディの下端に位置させて、全体的に小さいサイズであるものの、構成要素の空間配置を十分活用したものである。
【００５５】
イオンヘッド４２８の開閉は、イオンヘッド４２８を回転させることにより、行われる。
【００５６】
図７は、高機能性アンプル製造過程の概念図であり、図８は、高機能性アンプルの経皮吸収促進過程を説明するための概念図である。
【００５７】
本発明による頭皮及び毛髪用光学治療機器に挿入される高機能性アンプルは、 図７を参照すると、多孔性キトサン微粒子と機能性物質とを混合して、機能性物質を、多孔性キトサン微粒子に固定する方式で製造される。
【００５８】
図８のように、図７に示している製造方法で製造された高機能性アンプルを、頭皮及び毛髪用光学治療機器に挿入した後、経皮に吸収させる過程を経て、毛嚢部分を活性化させることにより、早い毛髪成長を誘導することになる。
【００５９】
以上の説明は、本発明の技術思想を例示的に説明したことに過ぎず、本発明が属する技術の分野における通常の知識を有する者であれば、本発明の本質的な特性から逸脱しない範囲内で、様々な修正、変更、及び置換が可能であるだろう。したがって、本発明に開示された実施例及び添付の図面は、本発明の技術思想を限定するためのものではなく、説明するためのものであって、このような実施例及び添付の図面によって、本発明の技術思想の範囲が限定されることではない。本発明の保護範囲は、請求範囲によって解釈されるべきであり、それと同等な範囲内にある全ての技術思想は、本発明の権利範囲に含まれることと解釈されるべきである。
【産業上利用可能性】
【００６０】
本発明は、頭皮改善及び脱毛予防のための医療用光学治療機器の設計及び製造分野に、広く適用することができる。
【符号の説明】
【００６１】
１０  上部ボディ
１６  アンプルホルダ
１８  アンプルカバー
２０  バッテリカバー
２２  下部ボディ
２４、２６  電極
２８  イオンヘッド
３０  ボディトップ
３２  ＬＥＤランプ
３４  アンプルボールベアリング
３６  ＭＴＳカートリッジ
３８  ボディカバー。
【図１】
2014502896.tif 000004
【図２】
2014502896.tif 000005
【図３】
2014502896.tif 000006
【図４】
2014502896.tif 000007
【図５】
2014502896.tif 000008
【図６】
2014502896.tif 000009
【図７】
2014502896.tif 000010
【図８】
2014502896.tif 000011
【国際調査報告】
2014502896.tif 000012
2014502896.tif 000013
2014502896.tif 000014
2014502896.tif 000015
2014502896.tif 000016
2014502896.tif 000017